(57)【要約】      （修正有）【課題】携帯電話等の端末の所有者や所持者等の嗜好性や行動特性に合致した有用な情報を提供する有用情報提供装置を提供する。【解決手段】有用情報提供装置１００は、役務及び／又は商品の提供を行う提供場所を利用した顧客の利用情報を含む利用関連情報に基づいて、顧客の基本傾向情報を生成し、顧客の端末情報と関連付けて記憶し、顧客向け配信情報と、その配信先条件情報を記憶する配信情報記憶部を有する。基本傾向情報と配信先条件情報から、配信対象の端末情報を選択し、選択された端末情報の端末５０に、顧客向け配信情報を送信する。【選択図】図１
2019121133.tif 000002
【特許請求の範囲】
【請求項１】
役務及び／又は商品の提供を行う提供場所を利用した顧客の利用情報を含む利用関連情報に基づいて、顧客の基本傾向情報を生成し、前記顧客の端末情報と関連付けて記憶し、
顧客向け配信情報と、その配信先条件情報を記憶する配信情報記憶部を有し、
前記基本傾向情報と前記配信先条件情報から、配信対象の前記端末情報を選択し、選択された前記端末情報の端末に、前記顧客向け配信情報を送信することを特徴とする有用情報提供装置。
【請求項２】
前記基本傾向情報が、少なくとも、前記顧客の前記提供場所の種類情報を含む情報に基づいて生成される嗜好性情報、前記顧客が利用する前記提供場所の業態種類情報を含む情報に基づいて生成される業態利用頻度情報、又は前記顧客の前記提供場所への利用サイクル情報を含む情報に基づいて生成される生活サイクル情報のいずれかを１つを含むことを特徴とする請求項１に記載の有用情報提供装置。
【請求項３】
前記提供場所への前記顧客の前記端末の入所情報及び退所情報に基づいて、前記提供場所についての提供場所事情情報及び／又は、顧客についての顧客事情情報を生成し、前記提供場所事情情報及び／又は前記顧客事情情報に基づいて、顧客毎に異なる内容のクーポン内容情報を生成可能な構成となっていると共に、前記顧客毎に異なる内容のクーポン内容情報を、各顧客の前記端末に送信可能な構成となっていることを特徴とする請求項１又は請求項２に記載の有用情報提供装置。
【請求項４】
顧客の前記端末の前記入所情報及び前記退所情報は、前記提供場所に設置された入所情報検知装置及び退所情報検知装置と前記端末が前記クーポンに関する情報を送受信することで生成されることを特徴とする請求項１乃至請求項３のいずれか１項に記載の有用情報提供装置。
【請求項５】
好ましくは、前記入所情報及び前記退所情報は、時刻情報を含み、前記入所情報及び前記退所情報に基づいて、前記提供場所事情情報及び／又は前記顧客事情情報を生成すると共に、前記提供場所事情情報には、当該提供場所における顧客の滞在時間情報、顧客の回転率情報、当該提供場所の混雑時間情報又は当該提供場所の非混雑時間情報を含むことを特徴とする請求項１乃至請求項４のいずれか１項に記載の有用情報提供装置。
【請求項６】
役務及び／又は商品の提供を行う提供場所を利用した顧客の利用情報を含む利用関連情報に基づいて、顧客の基本傾向情報を生成し、前記顧客の端末情報と関連付けて記憶し、
配信情報記憶部に顧客向け配信情報と、その配信先条件情報を記憶し、
前記基本傾向情報と前記配信先条件情報から、配信対象の前記端末情報を選択し、選択された前記端末情報の端末に、前記顧客向け配信情報を送信することを特徴とする有用情報提供装置の制御方法。
【請求項７】
役務及び／又は商品の提供を行う提供場所を利用した顧客の利用情報を含む利用関連情報に基づいて、顧客の基本傾向情報を生成し、前記顧客の端末情報と関連付けて記憶する機能、
配信情報記憶部に顧客向け配信情報と、その配信先条件情報を記憶する機能、
前記基本傾向情報と前記配信先条件情報から、配信対象の前記端末情報を選択し、選択された前記端末情報の端末に、前記顧客向け配信情報を送信する機能を実行させる有用情報提供プログラム。
【発明の詳細な説明】
【技術分野】
【０００１】
本発明は、携帯電話等の端末装置に、その所有者等にとって有用な情報を提供する有用情報提供装置、有用情報提供装置の制御方法及び有用情報提供プログラムに関するものである。
【背景技術】
【０００２】
従来、携帯電話に、その所有者の属性や使用方法から推測される必要な情報を提供する提案がなされている（例えば、特許文献１等）。
【先行技術文献】
【特許文献】
【０００３】
【特許文献１】特開２００５−１０７７２８号公報
【発明の概要】
【発明が解決しようとする課題】
【０００４】
しかし、これらの情報は、必ずしも携帯電話の個々の所有者に特有の嗜好性や行動特性等に合致しておらず、このため、かかる情報を受信する当該携帯電話の所有者にとっては、不要な情報を多く受信することになり、煩雑であるという問題があった。
【０００５】
そこで、本発明は、携帯電話等の端末の所有者や所持者等の嗜好性や行動特性に合致した有用な情報を提供する有用情報提供装置、有用情報提供装置の制御方法及び有効情報提供プログラムを提供することを目的とする。
【課題を解決するための手段】
【０００６】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶し、顧客向け配信情報と、その配信先条件情報を記憶する配信情報記憶部を有し、前記基本傾向情報と前記配信先条件情報から、配信対象の前記端末情報を選択し、選択された前記端末情報の端末に、前記顧客向け配信情報を送信することを特徴とする有用情報提供装置により達成される。
【０００７】
前記構成によれば、広告等の顧客向け配信情報に、その配信先条件情報があるときは、提供場所を利用した顧客の利用情報に基づいて生成される基本傾向情報（例えば、店舗嗜好性情報等）と合致等する配信対象の端末情報を選択し、その端末（例えば、携帯電話等）に当該顧客向け配信情報を送信する。
したがって、当該広告等の顧客向け配信情報の配信先として適している顧客の携帯電話等の端末に効果的に顧客向け配信情報を配信することできると共に、端末の所有者や所持者等の顧客の嗜好性や行動特性に合致した有用な情報を、当該端末の顧客に提供することができる。
【０００８】
好ましくは、前記基本傾向情報が、少なくとも、前記顧客の前記提供場所の種類情報を含む情報に基づいて生成される嗜好性情報、前記顧客が利用する前記提供場所の業態種類情報を含む情報に基づいて生成される業態利用頻度情報、又は前記顧客の前記提供場所への利用サイクル情報を含む情報に基づいて生成される生活サイクル情報のいずれかを１つを含むことを特徴とする。
【０００９】
前記構成によれば、基本傾向情報には、嗜好性情報、業態利用頻度情報、生活サイクル情報のいずれか１つを含むので、当該広告等の顧客向け配信情報の配信先として、より適切な送信先を精度良く選択することができる。
【００１０】
好ましくは、前記提供場所への前記顧客の前記端末の入所情報及び退所情報に基づいて、前記提供場所についての提供場所事情情報及び／又は、顧客についての顧客事情情報を生成し、前記提供場所事情情報及び／又は前記顧客事情情報に基づいて、顧客毎に異なる内容のクーポン内容情報を生成可能な構成となっていると共に、前記顧客毎に異なる内容のクーポン内容情報を、各顧客の前記端末に送信可能な構成となっていることを特徴とする。
【００１１】
前記構成によれば、提供場所（例えば、店舗）事情情報及び／又は前記顧客事情情報に基づいて、顧客毎に異なる内容のクーポン内容情報（例えば、クーポン内容）を生成可能な構成となっている。
このため、提供場所事情情報と顧客事情情報に基づき、一方又は双方の事情に合致した内容のクーポンを当該顧客のために生成することができる（例えば、店舗のアイドルタイム（非混雑時）に来店する傾向を有する顧客のために，アイドルタイムに通常より値引き幅の大きいクーポンを生成）。
また、前記構成によれば、顧客毎に異なる内容のクーポン内容情報を、各顧客の端末に送信可能な構成となっているので、各顧客の端末には、自動的に最も適切な内容のクーポンが届くことになる。
したがって、顧客毎に異なる内容のクーポンを提供することができ、提供場所（例えば、店舗等）側の具体的な事情及び／又は提供場所（例えば、店舗等）を利用する顧客側の具体的な事情に沿って、顧客毎に異なる適切な内容のクーポンを自動的且つ迅速に提供することができる。
【００１２】
好ましくは、顧客の前記端末の前記入所情報及び前記退所情報は、前記提供場所に設置された入所情報検知装置及び退所情報検知装置と前記端末が前記クーポンに関する情報を送受信することで生成されることを特徴とする。
【００１３】
前記構成によれば、自動的に送信されたクーポン情報を入所情報検知装置等に送信等するだけで、当該提供場所の入所（例えば、入店等）情報及び退所（例えば、退店等）情報を生成することができるので、容易に必要な情報を取得することができる。
また、店舗等の提供場所に来店した顧客の入所時刻、退所時刻、滞在時間が精度良く迅速に把握することができる。
【００１４】
好ましくは、前記入所情報及び前記退所情報は、時刻情報を含み、前記入所情報及び前記退所情報に基づいて、前記提供場所事情情報及び／又は前記顧客事情情報を生成すると共に、前記提供場所事情情報には、当該提供場所における顧客の滞在時間情報、顧客の回転率情報、当該提供場所の混雑時間情報又は当該提供場所の非混雑時間情報を含むことを特徴とする。
【００１５】
前記構成によれば、入所情報及び退所情報は、時間情報を含んでいるから、各種の提供場所事情情報や顧客事情情報を容易且つ迅速に生成することができ、これらの情報に基づき、当該顧客や当該提供場所にとって、さらに適切なクーポン情報を生成することができる。
【００１６】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶し、配信情報記憶部に顧客向け配信情報と、その配信先条件情報を記憶し、前記基本傾向情報と前記配信先条件情報から、配信対象の前記端末情報を選択し、選択された前記端末情報の端末に、前記顧客向け配信情報を送信することを特徴とする有用情報提供装置の制御方法により達成される。
【００１７】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶する機能、配信情報記憶部に顧客向け配信情報と、その配信先条件情報を記憶する機能、前記基本傾向情報と前記配信先条件情報から、配信対象の前記端末情報を選択し、選択された前記端末情報の端末に、前記顧客向け配信情報を送信する機能を実行させる有用情報提供装置の制御プログラムにより達成される。
【発明の効果】
【００１８】
そこで、本発明は、携帯電話等の端末の所有者や所持者等の嗜好性や行動特性に合致した有用な情報を提供する有用情報提供装置、有用情報提供装置の制御方法及び有効情報提供プログラムを提供できるという利点がある。
【図面の簡単な説明】
【００１９】
【図１】本発明にかかる有用情報提供装置である例えば、広告配信及びクーポン情報管理サーバを含む広告配信及びクーポン情報管理システムの主な構成を示す概略図である。
【図２】図１の寿司店舗チェーン顧客情報管理サーバの主な構成を示す概略ブロック図である。
【図３】図１の入口クーポンチェック装置の主な構成を示す概略ブロック図である。
【図４】図１の出口クーポンチェック装置の主な構成を示す概略ブロック図である。
【図５】図１の広告配信及びクーポン情報管理サーバの主な構成を示す概略ブロック図である。
【図６】広告配信及びクーポン情報管理サーバ側第１の各種情報管理部の主な内容を示す概略ブロック図である。
【図７】広告配信及びクーポン情報管理サーバ側第２の各種情報管理部の主な内容を示す概略ブロック図である。
【図８】広告配信及びクーポン情報管理サーバ側第３の各種情報管理部の主な内容を示す概略ブロック図である。
【図９】広告配信及びクーポン情報管理サーバ側第４の各種情報管理部の主な内容を示す概略ブロック図である。
【図１０】広告配信及びクーポン情報管理サーバ側第５の各種情報管理部の主な内容を示す概略ブロック図である。
【図１１】顧客情報の有効化処理の主な工程を示す概略フローチャートである。
【図１２】顧客情報の有効化処理の主な工程を示す他の概略フローチャートである。
【図１３】図１の入口側クーポンチェック装置における「クーポン」情報の読み取り工程を示す概略フローチャートである。
【図１４】図１の出口側クーポンチェック装置における「クーポン」情報の読み取り工程を示す概略フローチャートである。
【図１５】顧客向け配信情報である例えば、広告を配信する配信先である顧客の携帯電話を選択するための予備的情報を生成する工程を示す概略フローチャートである。
【図１６】広告を選択された顧客の各携帯電話に送信する工程を示す概略フローチャートである。
【図１７】各種の「２次的情報」の生成工程を示す概略フローチャートである。
【図１８】会員（顧客）毎のクーポン内容の主な生成工程を示す概略フローチャートである。
【図１９】アンケート情報生成工程を示す概略フローチャートである。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
（広告配信及びクーポン管理システム１の主な構成について）
図１は、本発明にかかる有用情報提供装置である例えば、広告配信及びクーポン情報管理サーバ１００を含む「広告配信及びクーポン情報管理システム１」の主な構成を示す概略図である。
図１に示すように、広告配信及びクーポン管理システム１は、広告配信及びクーポン情報を管理する「Ｘ広告配信及びクーポン情報管理会社」が管理する「広告配信及びクーポン情報管理サーバ１００」、「Ｙ寿司店舗チェーン会社」が管理する「寿司店舗チェーン顧客情報管理サーバ１０」、このＹ寿司店舗チェーン会社が管理する提供場所である例えば、「Ｐ寿司店舗」に配置されている入所情報検知装置である例えば、「入口側クーポンチェック装置２０」及び退所情報検知装置である例えば、「出口側クーポンチェック装置３０」を有している。
また、Ｐ寿司店舗には、売上管理装置である例えば、「ＰＯＳ（Ｐｏｉｎｔ  ｓａｌｅｓ  ｓｙｓｔｅｍ）装置６０」も配置されている。
【００２２】
さらに、本システム１は、例えば、Ｐ寿司店舗の顧客が所持する端末である例えば、携帯電話５０も有している。
また、本システム１では、後述するように、「広告配信及びクーポン情報管理サーバ１００」から「顧客向け配信情報」である例えば、「広告情報」を携帯端末５０に配信する構成となっている。
これら、「広告配信及びクーポン情報管理サーバ１００」、「寿司店舗チェーン顧客情報管理サーバ１０」、「入口側クーポンチェック装置２０」、「出口側クーポンチェック措置３０」は、図１の「インターネット網２」を介して通信可能な構成となっている。
また、図１の携帯電話５０は、図１の基地局３とインターネット網２等を介して「広告配信及びクーポン情報管理サーバ１００」と通信可能な構成となっている。
【００２３】
図１のＰ寿司店舗に配置される「ＰＯＳ装置５０」は、「出口側クーポンチェック装置３０」と通信可能に接続されている。
【００２４】
図１の本システム１では、割引き等の優待扱い等を示すクーポン、例えば、電子クーポンが、クーポン情報管理サーバ１００から、例えば、Ｐ寿司店舗の顧客の携帯電話５０へ送信される。この電子クーポンには例えば、マトリックス型二次元コード（ＱＲコード）等が添付されている。
【００２５】
そして、顧客が携帯電話５０を所持して、Ｐ寿司店舗へ来店し、入口近傍に配置される「入口側クーポンチェック装置２０」の「入口側（マトリックス型二次元）コード読み取り機２２」に、クーポン情報の同コードを読み取らせることで、クーポン情報を同装置２０へ送信することが可能な構成となっている。
なお、本実施の形態では「マトリックス型二次元コード」を「コード」とも称する。
【００２６】
また、Ｐ寿司店舗の出口付近のＰＯＳ装置６０の近傍には、「出口側クーポンチェック装置３０」が配置され、「入口側クーポンチェック装置２０」と同様に、携帯電話５０クーポンに関するマトリックス型二次元コードを読み取ることができる構成となっている。
このように、クーポン情報を読み取ることで、携帯電話５０を所持する顧客は、割引き等のクーポンの特典をＰ寿司店舗で利用可能となっている。
【００２７】
一方で、Ｐ寿司店舗は、「入口側クーポンチェック装置２０」及び「出口側クーポンチェック装置３０」でクーポン情報を読み取ることで、顧客の入店及び退店の時刻情報を取得可能な構成ともなっている。
【００２８】
（携帯電話５０の主な構成について）
携帯電話５０は、図１に示すように、タッチパネル５１を有している。タッチパネル５１は、各種情報を表示する「ディスプレイ」と、位置入力装置を組み合わせた電子部品であり、ディスプレイ上の表示に利用者が触れることで各種情報の入力ができる入力装置ともなっている。
【００２９】
携帯電話５０は、「情報入力用ボタン５２」を有し、この情報入力用ボタン５２は、操作者が同ボタン５２を押下することで、各種情報が入力可能な構成となっている。
【００３０】
また、携帯電話５０は、図示しない「携帯側通信装置」や「携帯側各種情報記憶部」等を有し、携帯電話５０は、図１に示すように基地局３及びインターネット網２等を介して、図１の「広告配信及びクーポン情報管理サーバ１００」等と通信可能に接続されている。
【００３１】
（寿司店舗チェーン顧客情報管理サーバ１０の主な構成について）
図２は、図１の「寿司店舗チェーン顧客情報管理サーバ１０」の主な構成を示す概略ブロック図である。
図２に示す「寿司店舗チェーン顧客情報管理サーバ１０」は、図１のＹ寿司店舗チェーン会社が管理し、同Ｙ社の管理する例えば、顧客に関する情報を管理し、記憶するためのサーバとなっている。
図２に示すように、同サーバ１０は、「顧客情報管理サーバ側制御部１１」を有し、同制御部１１は、図１の例えば、「広告配信及びクーポン情報管理サーバ１００」等と通信するための「顧客情報管理サーバ側通信装置１２」を制御している。
また、図２に示すように、各種データを表示する「顧客情報管理サーバ側ディスプレイ１３」や各種情報を入力するためのキーボード等の「顧客情報管理サーバ側各種入力装置１４」も同制御部１１で制御されている。
【００３２】
さらに、図２に示すように、同サーバ１０は、「寿司店舗チェーン顧客情報記憶部１５」を有し、同制御部１１により制御されている。
この「寿司店舗チェーン顧客情報記憶部１５」には、同Ｙ社の「Ｐ寿司店舗」等に来店した顧客等の情報が記憶されており、例えば、顧客の氏名、住所、携帯電話番号、郵便番号等が記憶されている。
この携帯電話番号は、端末情報の一例である。
【００３３】
（入口クーポンチェック装置２０の主な構成について）
図３は、図１の「入口クーポンチェック装置２０」の主な構成を示す概略ブロック図である。
図３に示すように、「入口クーポンチェック装置２０」は、「入口側制御部２１」を有し、同制御部２１は、図３に示すように「入口側コード読み取り装置２２」を制御する構成となっている。
この「入口側コード読み取り装置２２」は、上述したように、顧客の携帯電話５０が記憶している「マトリックス型二次元コード」を読み取る構成となっている。
【００３４】
また、図３に示すように、「入口側通信装置２３」は「入口側制御部２１」で制御され、図１に示すように例えば、「広告配信及びクーポン情報管理サーバ１００」等と通信可能に接続されている。
【００３５】
図３で示す「入口側計時装置２４」は、時刻情報を生成し、「入口側制御部２１」で制御される構成となっている。
図３の「入口側店舗情報記憶部２５」、「入口側コード記憶部２６」、「入口側コード読み取り時刻情報記憶部２７」、「入口側クーポンコード特定処理部（プログラム）２８」及び「入口側クーポンコード記憶部２９」も「入口側制御部３１」で制御されるが、その内容については後述する。
【００３６】
（出口クーポンチェック装置３０の主な構成について）
図４は、図１の「出口クーポンチェック装置３０」の主な構成を示す概略ブロック図である。
図４に示すように、「出口クーポンチェック装置３０」は、「出口側制御部３１」を有し、同制御部３１は、図３に示すように「出口側コード読み取り装置３２」を制御する構成となっている。
この「出口側コード読み取り装置３２」は、上述したように、顧客の携帯電話５０が記憶している「マトリックス型二次元コード」を読み取る構成となっている。
【００３７】
また、図３に示すように、「出口側通信装置３３」は「出口側制御部３１」で制御され、図１に示すように例えば、「広告配信及びクーポン情報管理サーバ１００」やＰＯＳ装置６０等と通信可能に接続されている。
【００３８】
図４で示す「出口側計時装置２４」は、時刻情報を生成し、「出口側制御部３１」で制御される構成となっている。
図４の「入口側店舗情報記憶部３５」、「入口側コード記憶部３６」、「入口側コード読み取り時刻情報記憶部３７」、「入口側クーポンコード特定処理部（プログラム）３８」及び「入口側クーポンコード記憶部３９」も「入口側制御部３１」で制御されるが、その内容については後述する。
【００３９】
（広告配信及びクーポン情報管理サーバ１００の主な構成について）
図５は、図１の「広告配信及びクーポン情報管理サーバ１００」の主な構成を示す概略ブロック図である。
図５に示すように、「広告配信及びクーポン情報管理サーバ１００」は、「広告配信及びクーポン情報管理サーバ側制御部１０１」を有し、同制御部１０１は、図５に示すように、図１に示す各装置等と通信するための「広告配信及びクーポン情報管理サーバ側通信装置１０２」を制御する構成となっている。
【００４０】
図５に示す「広告配信及びクーポン情報管理サーバ側ディスプレイ１０３」は、各種情報を表示し、同制御部１０１によって制御されている。
また、図５に示す「広告配信及びクーポン情報管理サーバ側各種情報入力装置１０４」は、各種情報を入力するキーボード等であり、同制御部１０１によって制御されている。
【００４１】
図５の「広告配信及びクーポン情報管理サーバ側第１の各種情報管理部１１０」、「広告配信及びクーポン情報管理サーバ側第２の各種情報管理部１２０」、「広告配信及びクーポン情報管理サーバ側第３の各種情報管理部１３０」、「広告配信及びクーポン情報管理サーバ側第４の各種情報管理部１４０」及び「広告配信及びクーポン情報管理サーバ側第５の各種情報管理部１５０」も同制御部１０１で制御される。
【００４２】
図６乃至図１０は、それぞれ、「広告配信及びクーポン情報管理サーバ側第１の各種情報管理部１１０」、「広告配信及びクーポン情報管理サーバ側第２の各種情報管理部１２０」及び「広告配信及びクーポン情報管理サーバ側第３の各種情報管理部１３０」、「広告配信及びクーポン情報管理サーバ側第４の各種情報管理部１４０」及び「広告配信及びクーポン情報管理サーバ側第５の各種情報管理部１５０」の主な内容を示す概略ブロック図である。これらの内容については、後述する。
【００４３】
（本実施の形態に係る「広告配信及びクーポン管理システム１」の動作例について）
図１に示す「広告配信及びクーポン管理システム１」を用いた動作例を以下、説明する。
先ず、図１の「Ｙ寿司店舗チェーン会社」が自社の店舗、例えば、Ｐ寿司店舗等の顧客等の携帯電話５０に、代金の割引クーポン、例えば、電子クーポンを配布（送信）したいと考え、図１の「Ｘクーポン情報管理会社」にクーポン送信の依頼をすると共に「Ｙ寿司店舗チェーン」の広告（例えば、日曜日に「Ｙ寿司店舗チェーン」の各店舗で割引きキャンペーンをするので、この「広告」を効果的に携帯電話５０等に配信してもらいたい旨の依頼をした場合を例に以下、説明する。
【００４４】
（以下の工程で「属性情報」を登録させる）
（Ｙ寿司店舗チェーン会社の顧客情報の提供工程について）
Ｙ寿司店舗チェーン会社は、自社の「寿司店舗チェーン顧客情報管理サーバ１０」に記憶されている顧客情報を、インターネット網２を介して、図１の「Ｘクーポン情報管理会社」の「クーポン情報管理サーバ１００」に送信する。
具体的には、「寿司店舗チェーン顧客情報管理サーバ１０」に記憶されている顧客の「氏名、住所、携帯電話番号、郵便番号、「属性情報」である例えば、性別及び年齢等」の情報が送信される。
【００４５】
かかる情報を受信した「広告配信及びクーポン情報管理サーバ１００」は、受信した顧客の情報を図６の「クーポンサーバ側顧客情報記憶部１１１」に記憶する。
【００４６】
（「広告配信及びクーポン情報管理サーバ１００」における顧客情報の有効化処理について）
「Ｙ寿司店舗チェーン会社」の「寿司店舗チェーン顧客情報管理サーバ１０」から送信された顧客情報をそのまま使用して、各顧客の携帯電話５０にクーポンを送信できるか否かが不明なため、先ず、以下のように「顧客情報」の「有効化処理」を行う。
【００４７】
図１１及び図１２は、顧客情報の有効化処理の主な工程を示す概略フローチャートである。
先ず、図１１のステップ（以下「ＳＴ」という。）１では、図６の「第１の顧客情報有効化処理部（プログラム）１１２」が動作し、図６の「クーポンサーバ側顧客情報記憶部１１１」の顧客情報と、図６の「既登録顧客情報記憶部１１３」の既登録顧客情報とを比較する。
この「既登録顧客情報記憶部１１３」は，図６に示すように、顧客の会員番号、氏名、携帯電話番号、郵便番号、住所、性別及び年齢（属性情報）等が記憶されている。
そして、「クーポンサーバ側顧客情報記憶部１１１」の顧客情報に一致するデータがあるか否かを判断する。
【００４８】
具体的には、顧客情報である例えば、氏名、住所、携帯電話番号、郵便番号、性別、年齢等が一致する情報があるか否かを判断する。
すなわち、「Ｘクーポン情報管理会社」の「広告配信及びクーポン情報管理サーバ１００」が、既に把握している顧客情報と一致すれば、その情報は、既に「広告配信及びクーポン情報管理サーバ１００」で有効化された情報なので、有効化する必要がないことになる。
【００４９】
したがって、ＳＴ２で「一致する顧客情報」があるとき、ＳＴ３へ進む。ＳＴ３では、「既登録顧客情報記憶部１１３」の当該顧客の「業態種類」欄に、例えば「Ｙ寿司店舗チェーン」と入力する。
この「業態種類」が「業態種類情報」の一例となっている。
なお、既に、当該顧客の「業態種類」欄に、例えば「Ｙ寿司店舗チェーン」と入力されていた場合は、「業態種類」の入力は不要である。
【００５０】
ＳＴ２で、「顧客情報」が「一致しない」ときは、ＳＴ４へ進む。ＳＴ４では、図６の「第２の顧客情報有効化処理部（プログラム）１１４」が動作し、図６の「クーポンサーバ側顧客情報記憶部１１１」の顧客情報と、図６の「既登録顧客情報記憶部１１３」の既登録顧客情報とを比較する。
そして、「クーポンサーバ側顧客情報記憶部１１１」の顧客情報が、「氏名」、「住所」、「携帯電話番号」の情報を有しているか否かを判断する。
【００５１】
ＳＴ５で「有している」とされると、ＳＴ６へ進む。ＳＴ６では、顧客の携帯電話５０の「携帯電話番号」に識別情報（新たに付した会員番号等）と関連付けられた「ショートメール」を送信し、ショートメールで「氏名」と「郵便番号」の入力と返信を求める。
【００５２】
次いで、ＳＴ７へ進む。ＳＴ７では、「第２の顧客情報有効化処理部（プログラム）１１４」が、顧客の携帯電話５０から返信されてきた「氏名」と「郵便番号」と、図６の「クーポンサーバ側顧客情報記憶部１１１」の顧客情報の「氏名」、「住所」が合致するか否かを判断する。
【００５３】
そして、ＳＴ８で、「合致する」と判断されたときは、ＳＴ９へ進む。ＳＴ９では、顧客が「確認」済みとして、「会員番号」と関連付けて、図６の「既登録顧客情報記憶部１１３」に記憶させ、当該顧客の「顧客種類」に例えば、「Ｙ寿司店舗チェーン」と入力する。
【００５４】
一方、ＳＴ５で、「一致していない」と判断されると、ＳＴ１０へ進む。ＳＴ１０では、図７の「第３の顧客情報有効化処理部（プログラム）１２１」が動作し、図６の「クーポンサーバ側顧客情報記憶部１１１」の顧客情報と「既登録顧客情報記憶部１１３」の既登録顧客情報とを比較する。
そして、「クーポンサーバ側顧客情報記憶部１１１」の顧客情報が、「氏名」、「住所」の情報を有しているか否かを判断する。
【００５５】
そして、ＳＴ１１で「有している」と判断されると、ＳＴ１２へ進む。ＳＴ１２では、当該「住所」の「氏名」宛にダイレクトメール（ＤＭ）を送付し、ＤＭには「携帯電話で電話をかけて欲しい」旨を記載する。
【００５６】
次いで、ＳＴ１３へ進む。ＳＴ１３では、顧客からの電話を受信したとき、当該顧客の
携帯電話番号に、「ショートメール」を送信し、ショートメールで「氏名」「郵便番号」の入力と送信を求める。
次いで、ＳＴ１４へ進む。顧客の携帯電話から送信された「氏名」「郵便番号」が、「クーポンサーバ側顧客情報記憶部１１１」の顧客情報の住所と合致しているか否かを「第３の顧客情報有効化処理部（プログラム）１２１」が判断する。
【００５７】
ＳＴ１５で、「合致している」とされると、ＳＴ１６へ進む。ＳＴ１６では、顧客に「確認」済みとして、会員番号と関連付けて、図６の「既登録顧客情報記憶部１１３」に記憶し、当該顧客の「顧客種類」に例えば、「Ｙ寿司店舗チェーン」と入力する。
【００５８】
以上で、「有効化処理」が終了する。これら工程で、有効化されかった顧客情報は使用できない情報とされる。
このように、本実施の形態では、依頼人（会社）から受け取った「顧客情報」を確認等し、有効な顧客情報のみに「クーポン」を送信することとしている。
【００５９】
（クーポン送信工程）
顧客情報が確定したので、次いで、最初のクーポン送信工程へ進む。本実施の形態では、後述のように、クーポンは顧客の事情毎に異なる内容のクーポンを提供するが、本例では、最初のクーポンは同じ内容のクーポンで、使用状況等によって変化することを例に説明する。
【００６０】
例えば、Ｙ寿司店舗チェーン会社の「Ｐ寿司店舗」等で、料金が割引となる使用可能な「割引クーポン」で、この「クーポン内容」は、図６の「既登録顧客情報記憶部１１３」に記憶されている「氏名」と関連付けられている「クーポンコード（Ｘ０１）」を有している。
例えば、これらの情報は、「マトリックス型二次元コード（コード）」で示されて、クーポンと関連付けられている。
【００６１】
そして、この「マトリックス型二次元コード（コード）」付き「クーポン」が、各携帯電話５０等に送信される。本例では、「クーポン内容」は例えば、５００円引きである。
【００６２】
次いで、自己の携帯電話５０に「マトリックス型二次元コード（コード）」付き「クーポン」を受信した顧客は、このクーポンが使用できる例えば、図１の「Ｐ寿司店舗」に行き、入口から入店する。
このクーポン内容が、「クーポン内容情報」の一例である。
【００６３】
（「入口側クーポンチェック装置２０」における「クーポン」チェック工程）
図１３は、図１の「入口側クーポンチェック装置２０」における「クーポン」情報の読み取り工程を示す概略フローチャートである。
図１の「Ｐ寿司店舗」の入口には、「入口側クーポンチェック装置２０」が配置され、会計場所であるＰＯＳ装置６０が配置されている箇所の近傍には、図１の「出口側クーポンチェック装置３０」が配置されている。
【００６４】
顧客が「Ｐ寿司店舗」の入口から入ると、クーポンを利用する場合は、「入口側クーポンチェック装置２０」にクーポンを読み込ませてくださいとの表示があり、顧客は、自己の携帯電話５０で受信した「クーポン」の「マトリックス型二次元コード（コード）」を、同装置２０に読み込ませる。
【００６５】
すると、図１１のＳＴ２１に進む。ＳＴ２１では、「入口側クーポンチェック装置２０」の図３の「入口側コード読み取り装置２２」が、顧客の携帯電話５０のコードを読み取ったか否かを判断する。
【００６６】
ＳＴ２２で、読み取ったと判断したときは、ＳＴ２３へ進む。ＳＴ２３では、読み取ったコードを図３の「入口側コード記憶部２７」に記憶する。
そして、図３の「入口側計時装置２４」を参照し、読み取った時刻情報を図３の「入口側コード読み取り時刻情報記憶部２７」に記憶する。
【００６７】
次いで、ＳＴ２４へ進む。ＳＴ２４では、図３の「入口側クーポンコード特定処理部（プログラム）２８」が動作し、コードからクーポンコードを解析し特定して、図３の「入口側クーポンコード記憶部２９」に記憶する。
【００６８】
次いで、ＳＴ２５へ進む。ＳＴ２５では、「入口側通信装置２３」が動作し、「入口側クーポンコード記憶部２９」の「クーポンコード」と「入口側店舗情報記憶部２６」の「店舗番号（例えば、Ｐ寿司店舗の番号等）」及び「入口側コード読み取り時刻情報記憶部２７」の「時刻情報」を図１の「クーポン情報管理サーバ１００」に送信する。
【００６９】
次いで、ＳＴ２６へ進む。ＳＴ２６では、図１の「クーポン情報管理サーバ１００」は、「クーポンコード」を受信する。この「クーポンコード」は、上述のように、顧客の氏名等と関連付けられている。
このため、図６の「既登録顧客情報記憶部１１３」を参照し、「入口側クーポンチェック装置２０」から受信した「クーポンコード」に対応する「既登録顧客情報記憶部１１３」のクーポンコードを特定し、この「クーポンコード」に対応する「既登録顧客情報記憶部１１３」の「入店店舗」欄に「店舗番号」を入力する。
また、対応する「既登録顧客情報記憶部１１３」の「入店時刻」に「時刻情報（年月日時刻）」を入力する。
【００７０】
このように図６の「既登録顧客情報記憶部１１３」を参照し、「クーポンコード」から顧客を特定でき、さらに、同顧客が、どの店舗に、何時に入店したかの情報を容易且つ迅速に取得することができる。
【００７１】
なお、この入店時刻が「入所情報」の一例となっている。
【００７２】
次いで、顧客がＰ寿司店舗での食事が終了すると、会計へ行き、支払場所に行く、すると、Ｐ寿司店舗の担当者はＰＯＳ装置６０を使用して、当該顧客の支払額及び利用人数（組人数）の情報をＰＯＳ装置６０に入力する。
ＰＯＳ装置６０の近傍には「出口側クーポンチェック装置３０」が配置され、クーポンの利用の顧客宛に「クーポンを読み込ませてください」との表示がなされている。
そこで、顧客は、自己の携帯電話５０が受信した「クーポン」の「マトリックス型二次元コード」を図４の「出口側コード読み取り装置３２」に読み込ませる。
【００７３】
（「出口側クーポンチェック装置３０」における「クーポン」チェック工程）
図１４は、図１の「出口側クーポンチェック装置３０」における「クーポン」情報の読み取り工程を示す概略フローチャートである。
図１４のＳＴ３１では、「出口クーポンチェック装置３０」の「出口側コード読み取り装置３２」が、携帯電話５０の「マトリックス型二次元コード（コード）」を読み取ったか否かを判断する。
【００７４】
ＳＴ３２で読み取ったときは、ＳＴ３３へ進む。ＳＴ３３では、「出口側コード読み取り装置３２」が読み取ったコードを「出口側コード記憶部３６」に記憶し、「出口側計時装置３４」を参照し、読み取った時刻情報を「出口側コード読み取り時刻情報記憶部３７」に記憶する。
【００７５】
次いでＳＴ３４へ進む。ＳＴ３４では、「出口側クーポンコード特定処理部（プログラム）３８」が動作し、「マトリックス型二次元コード（コード）」からクーポンコードを解析し特定して、図４の「出口側クーポンコード記憶部３９」に記憶する。
【００７６】
次いで、ＳＴ３５へ進む。ＳＴ３５では、「出口側クーポンチェック装置３０」が、ＰＯＳ装置５０から「組人数」、「支払い金額」等を取得し、図４の「組人数及び支払金額等記憶部４０」に記憶する。
この「組人数」、「支払い金額」が、「人数情報」、「売上情報」の一例となっている。
【００７７】
次いで、ＳＴ３６に進む。ＳＴ３６では、「出口側通信装置３３」が動作し、「出口側クーポンコード記憶部３９」の「クーポンコード」と「出口側店舗情報記憶部３５」の「店舗番号（例えば、Ｐ寿司店舗の店舗番号）」、「出口側コード読み取り時刻情報記憶部３７」の「時刻情報」及び「組人数及び支払金額等記憶部４０」の「組人数及び支払金額等」を「クーポン情報管理サーバ１００」に送信する。
【００７８】
次いで、ＳＴ３７へ進む。ＳＴ３７では、図１の「クーポン情報管理サーバ１００」は、「クーポンコード」を受信する。この「クーポンコード」は、上述のように、顧客の氏名等と関連付けられている。
このため、図６の「既登録顧客情報記憶部１１３」を参照し、「出口側クーポンチェック装置３０」から受信した「クーポンコード」に対応する「既登録顧客情報記憶部１１３」のクーポンコード（及び氏名等）を特定し、この「クーポンコード」に対応する「既登録顧客情報記憶部１１３」の「退店店舗」欄に「店舗番号」を入力する。
また、対応する「既登録顧客情報記憶部１１３」の「退店時刻」に「時刻情報（年月日時刻）」を入力する。
さらに、対応する「既登録顧客情報記憶部１１３」の「組人数」及び「支払金額」の欄に「「組人数」及び「支払金額」を入力する。
【００７９】
このように図６の「既登録顧客情報記憶部１１３」を参照し、「クーポンコード」から顧客を特定でき、さらに、同顧客が、どの店舗に、何時に退店したかの情報、支払金額及び利用者人数（組人数）の情報を容易且つ迅速に取得することができる。
【００８０】
なお、この退店時刻が「退所情報」の一例となっている。
【００８１】
上述の図１３の「入口側クーポンチェック装置２０」における「クーポン」チェック工程）及び図１４の「出口側クーポンチェック装置３０」における「クーポン」チェック工程）により、「クーポン情報管理サーバ１００」は、顧客が、どの店舗に、何時に入店し、何時に退店したかの情報、支払金額及び利用者人数（組人数）の情報を取得することができる。
【００８２】
（「広告配信準備情報工程」について）
図１５は、顧客向け配信情報である例えば、広告を配信する配信先である顧客の携帯電話を選択するための予備的情報を生成する工程を示す概略フローチャートである。
（「店舗嗜好性情報生成工程」）
先ず、図１５のＳＴ７１では、図７の「店舗嗜好性情報生成処理部（プログラム）１２２」が動作し、図６の「既登録顧客情報記憶部１１３」を参照する。同記憶部１１３の「属性情報には、男又は女、年齢等が記憶されており、「入店店舗」の情報として、例えば、寿司店、カレー店、イタリア料理店等が記憶されている。
【００８３】
また、図７の「嗜好性基準情報記憶部１２３」を参照する。同記憶部１２３には、嗜好性情報を判断するための基準情報が記憶されている。
例えば、図６の「既登録顧客情報記憶部１１３」の「性別」が男性、「年齢」が「２０歳以上」（属性情報）で、「入店店舗」や「入店時刻」等の情報から、同一種類の店舗（寿司店）を週２回以上、利用している場合は「嗜好性あり」とする基準が記憶されている。
したがって、同処理部１２２は、「既登録顧客情報記憶部１１３」の「入店店舗」及び「入店時刻」情報等に基づき、顧客（会員番号、氏名等）毎の「店舗嗜好性情報（例えば、寿司店嗜好性情報）を生成し、会員番号等と共に図７の「店舗嗜好性情報記憶部１２４」に記憶する。
【００８４】
したがって、「入店情報」「入店時刻情報」等が、「顧客の利用情報を含む利用関連情報」の一例となっている。また、店舗嗜好性情報が、「嗜好性情報」の一例となっている。
【００８５】
（業態別利用頻度情報生成工程）
次いで、ＳＴ７２へ進む。ＳＴ７２では、図８の「業種利用頻度情報生成処理部（プログラム）１３１」が動作し、図６の「既登録顧客情報記憶部１１３」を参照する。同記憶部１１３の属性情報には、男又は女、年齢等が記憶されており、「業態情報」の情報として、例えば、寿司チェーン店又は寿司非チェーン店等が記憶されている。また、「入店時刻」として、当該寿司店等の入店時刻が記憶されている。
【００８６】
また、図７の「嗜好性基準情報記憶部１２５」を参照する。同記憶部１２５には、業種利用頻度情報を判断するための基準情報が記憶されている。
例えば、「既登録顧客情報記憶部１１３」の「性別」が男性、「年齢」が２０歳以上（属性情報）で、「入店店舗」「入店時刻」「業態種類」等の情報から、週２回以上、同種のチェーン店に入店すると、「同種のチェーン店の高利用頻度」とするとの基準が記憶されている。
【００８７】
したがって、同処理部１３１は、「既登録顧客情報記憶部１１３」の「入店店舗」、「入店時刻」及び「業態種類」情報等に基づき、顧客（会員番号、氏名等）毎の「業態別利用頻度情報（例えば、「寿司チェーン店利用頻度情報」等）を生成し、会員番号等と共に図８の「業態別利用頻度情報記憶部１３２」に記憶する。
この寿司チェーン店利用頻度情報が、業態利用頻度情報の一例となっている。
【００８８】
（生活サイクル情報生成工程）
次いで、ＳＴ７３へ進む。ＳＴ７３では、図８の「生活サイクル情報生成処理部（プログラム）１３３」が動作し、図６の「既登録顧客情報記憶部１１３」を参照する。
同記憶部１１３の属性情報には、男又は女、年齢等が記憶されており、「入店時刻」として、例えば、店舗の入店時刻情報が記憶されている。
【００８９】
また、図８の「生活サイクル基準情報記憶部１３４」を参照する。同記憶部１３４には、生活サイクル基準情報を判断するための基準情報が記憶されている。
例えば、図６の「既登録顧客情報記憶部１１３」の性別「男性」、年齢「２０歳以上」（属性情報）で、「入店店舗」「入店時刻」等の情報から、１ヶ月で２回以上、日曜日に利用すると、生活サイクル情報である例えば、「日曜日店舗飲食」という「生活サイクルあり」と判断すべき基準が記憶されている。
【００９０】
したがって、同処理部１３３は、図６「既登録顧客情報記憶部１１３」の「入店店舗」、「入店時刻」情報等に基づき、顧客（会員番号、氏名等）毎の「生活サイクル情報情報（例えば、「日曜日店舗飲食情報」等）を生成し、会員番号等と共に図８の「生活サイクル情報記憶部１３５」に記憶する。
この日曜日店舗飲食情報が、利用サイクル情報の一例となっている。
また、これら「寿司店嗜好性情報」、「寿司チェーン店利用頻度情報」、「日曜日店舗飲食情報」が、「基本傾向情報」の一例となっている。
【００９１】
以上で、広告を配信する配信先である顧客の携帯電話を選択するための予備的情報（「寿司店嗜好性情報」、「寿司チェーン店利用頻度情報」、「日曜日店舗飲食情報」）が生成される。
【００９２】
（「広告送信工程」について）
次いで、広告を選択された顧客の各携帯電話５０に送信する工程を説明する。
図１６は、広告を選択された顧客の各携帯電話５０に送信する工程を示す概略フローチャートである。
先ず、ＳＴ８１では、例えば、図１の「Ｘ広告配信及びクーポン情報管理会社」が、「Ｙ寿司店舗チェーン会社」から、例えば、「日曜日に寿司チェーン店の店舗の割引きキャンペーンを行うので、広告を顧客の携帯電話５０等に配信したい」旨の依頼を受けると、同条件情報を「寿司店舗チェーン顧客情報管理サーバ１０」から「広告配信及びクーポン情報管理サーバ１００」が受信し、図８の「広告配信条件記憶部１３６」に記憶する。
【００９３】
この「広告配信条件記憶部１３６」に記憶された広告の条件情報が「配信先条件情報」の一例となっている。
【００９４】
次いで、ＳＴ８２へ進む。ＳＴ８２では、図９の「広告情報生成処理部（プログラム）１４１」が動作し、図８の「広告配信条件記憶部１３６」を参照し、広告配信条件を参照する。上述の例では、例えば、「日曜日に寿司チェーン店の店舗の割引きキャンペーンを行うので、広告を顧客の携帯電話５０等に配信した」である。
【００９５】
また、同処理部１４１は、図７の「店舗嗜好性情報記憶部１２４」、図８の「業態別利用頻度情報記憶部１３２」及び「生活サイクル情報記憶部１３５」を参照し、上記「広告配信条件」に合致する携帯電話５０等の所持者（所有者）が存在するか否かを判断する。
例えば、上述の例では、図８の「生活サイクル情報記憶部１３５」で、「「日曜日店舗飲食」の顧客情報があり、さらに、図８の「業態別利用頻度情報記憶部１３２」の顧客情報に「寿司チェーン店利用頻度情報」の顧客情報が記憶されている。
したがって、同処理部１４１は、これらの情報から上述の「広告配信条件」に合致した顧客の会員番号等を特定し、さらに、これらの会員番号等から図６の「既登録顧客情報記憶部１１３」の「携帯番号」情報を検索、取得し、該当する携帯電話番号を図９の「該当携帯電話番号記憶部１４２」に記憶する。
【００９６】
次いで、ＳＴ８３へ進む。ＳＴ８３では、図９の「該当携帯電話番号記憶部１４２」に記憶されている「携帯電話番号」の情報に基づいて、携帯電話５０に広告を配信する。
具体的には、携帯電話５０等のタッチパネル５１に同広告が表示されることになる。
【００９７】
したがって、当該広の配信先として適している顧客の携帯電話５０等に効果的に広告を配信することできると共に、当該携帯電話５０の所有者や所持者等の嗜好性や行動特性に合致した有用な情報を、当該携帯電話５０の顧客に提供することができる。
したがって、携帯電話５０の顧客が、不必要な広告を多数受信し、煩雑さを感じさせることを未然に防止することができる。
【００９８】
なお、本実施の形態では、広告主の要望に合わせた顧客を検索して、広告を送信する例で説明したが、本発明はこれに限らず、各顧客の上述の「店舗嗜好性情報」、「業態別利用頻度情報」、「生活サイクル情報」から、直近の例えば、「日曜日」の飲食店、例えば、「寿司店」等を推奨し、当該顧客の携帯電話５０に、その推奨店舗（寿司店等）を表示させるようにしても良い。
例えば、カレー店の後に寿司店を利用する顧客等が、先週の日曜日にカレー店を利用した事実があるとき、次に日曜日に寿司店の利用を推奨する等である。
【００９９】
（「２次的情報生成工程」について）
また、「広告配信及びクーポン情報管理サーバ１００」は、図１３及び図１４の工程で得た情報に基づいて、顧客の「滞在時間」、店舗の「回転率」、店舗の「ピークタイム（混雑時間）」「アイドルタイム（非混雑時間）」、顧客の店舗への「来店傾向の時間」、顧客の店舗における「平均支払額」等の「２次的情報」を生成する。
【０１００】
図１７は、各種の「２次的情報」の生成工程を示す概略フローチャートである。以下、同フローチャートに従い説明する。
【０１０１】
（「滞在時間」情報について）
先ずは、ＳＴ４１で、「クーポン情報管理サーバ１００」が動作し、「既登録顧客情報記憶部１１３」の会員（顧客）の「入店時刻」と「退店時刻」から、当該会員の「滞在時間」を生成し、「既登録顧客情報記憶部１１３」に入力する。
したがって、各顧客の例えば、Ｐ寿司店舗における「滞在時間」情報を取得することができる。
この「滞在時間」が、顧客の滞在時間情報の一例である。
【０１０２】
（店舗の「回転率」情報について）
次いで、ＳＴ４２へ進む。ＳＴ４２では、図９の「店舗単位回転率情報生成処理部（プログラム）１４３」が動作し、図６の「既登録顧客情報記憶部１１３」の同一店舗における「滞在時間」情報に基づき、当該店舗の回転率を求め、図９の「店舗単位回転率情報記憶部１４４」に記憶する。
この「店舗の回転率」が「顧客の回転率情報」の一例である。
【０１０３】
（店舗における「ピークタイム」及び「アイドルタイム」情報について）
次いで、ＳＴ４３へ進む。ＳＴ４３では、図９の「混雑時間情報等生成処理部（プログラム）１４５」が動作し、図６の「既登録顧客情報記憶部１１３」の入店及び退店時刻の情報から同一店舗における「ピークタイム（混雑時間）（１７時〜２０時）」及び「アイドルタイム（非混雑時間）１５時〜１７時」情報を生成し、図９の「混雑時間等記憶部１４６」に記憶する。
【０１０４】
したがって、各顧客の例えば、Ｐ寿司店舗における「ピークタイム」「アイドルタイム」情報を取得することができる。
この同一店舗における「ピークタイム」及び「アイドルタイム」情報が、「提供場所事情情報」「提供場所の混雑時間情報」「非混雑時間情報」の一例である。
【０１０５】
（「店舗における同一会員の来店傾向情報」について）
次いで、ＳＴ４４へ進む。ＳＴ４４では、図１０の「店舗単位会員来店情報生成処理部（プログラム）１５１」が動作し、図６の「既登録顧客情報記憶部１１３」の入店及び退店時刻の情報から同一店舗における同一会員の来店傾向情報を生成し、図１０の「店舗単位会員来店情報記憶部１５２」に記憶する。
例えば、ある会員は、水曜日の１５時〜１７時の間にＰ寿司店舗に来店傾向等である。
【０１０６】
この同一店舗における同一会員の来店傾向情報が、顧客事情情報の一例である。
【０１０７】
（「店舗における同一会員の組人数の支払額情報」について）
次いで、ＳＴ４５へ進む。ＳＴ４５では、図１０の「店舗単位会員支払額情報等生成処理部（プログラム）１５３」が動作し、図６の「既登録顧客情報記憶部１１３」の「組人数」と「支払額」の情報から同一店舗における同一会員の組人数の支払額情報を生成し、図１０の「店舗単位会員支払額情報等記憶部１５４」に記憶する。
【０１０８】
例えば、ある会員は、Ｐ寿司店舗に４人一組の平均支払い額の範囲が例えば、８千円である。
この同一店舗における同一会員の組人数の支払額情報が、顧客毎の売上情報の一例となっている。
【０１０９】
以上の工程で、顧客の「滞在時間」、店舗の「回転率」、店舗の「ピークタイム（混雑時間）」「アイドルタイム（非混雑時間）」、顧客の店舗への「来店傾向の時間」、顧客の店舗における「平均支払額」等の「２次的情報」を取得することができる。
なお、本実施の形態では、２次的情報の生成として上述の順番で各情報を生成したが、本発明は、この順番を違えても構わないし、生成する情報を任意に選択しても構わない。
【０１１０】
（会員（顧客）毎のクーポン内容の生成について）
本実施の形態では、図６の「既登録顧客情報記憶部１１３」及び上述の「２次的情報」等に基づき、顧客に提供するクーポン内容を顧客毎に異なる内容とし、最適化とすることができる。
また、このクーポン内容は、店舗等の事情も考慮したものとなっている。
以下、一例を挙げて具体的に説明する。
図１８は、会員（顧客）毎のクーポン内容の主な生成工程を示す概略フローチャートである。図１８のフローチャートに沿って、以下説明する。
【０１１１】
図１８のＴ５１に示すように、図１０の「会員単位クーポン情報生成処理部（プログラム）１５５」が動作し、以下の情報に基づいて、会員毎に適切なクーポン内容を生成する。
・図９の「混雑時間等記憶部（同一店舗における「ピークタイム（１７時〜２０時）」情報及び「アイドルタイム（１５時〜１７時）」情報）」、
・図１０の「店舗単位会員来店情報記憶部１５２」（例えば、当該会員は、水曜日の１５時〜１７時の間にＰ寿司店舗に来店傾向）、
・図１０の「店舗単位会員支払額情報等記憶部１５４」（例えば、当該会員は、４人で、平均支払い額の範囲（８千円）の情報）。
【０１１２】
そして、この生成されたクーポン内容を図６の「既登録顧客情報記憶部１１３」の「クーポン内容」に入力する。
【０１１３】
例えば、店舗の要望（「アイドルタイム」の客数を増やしたいが、割引額（率）は赤字にならない範囲としたい）と、顧客（会員）の要望（割引額（率）を大きくして欲しい）の双方を考慮して、「会員単位クーポン情報生成処理部（プログラム）１５５」が動作して処理を行う。
例えば、Ｐ寿司店舗のアイドルタイムである１５時〜１７時は、会員の来店傾向の時間と合致する。また、当該会員の１人当たりの支払額が一定の額を超えている。
そこで、同処理部（プログラム）１５５は、Ｐ寿司店舗のアイドルタイムである１５時〜１７時は、通常の５００円の割引額ではなく、赤字にならない１０００円の割引の内容で当該会員（顧客）特有のクーポン内容を作成し、図６の「既登録顧客情報記憶部１１３」の「クーポン内容」に入力する。
【０１１４】
次いで、ＳＴ５２へ進む。ＳＴ５２では、「既登録顧客情報記憶部１１３」で更新された「クーポン内容」のクーポンが当該会員（顧客）の携帯電話５０へ送信される。
したがって、本実施の形態では、会員（顧客）毎に異なる内容のクーポンを提供することができ、店舗側の具体的な事情及び店舗を利用する会員（顧客）側の具体的な事情に沿って、会員毎に異なる適切な内容のクーポンを自動的且つ迅速に提供することができる構成となっている。
【０１１５】
（アンケート情報生成工程について）
また、本実施の形態では、実際にＰ寿司店舗等でクーポンを利用した会員（顧客）にアンケートを実行し、その回答情報は、図６の「既登録顧客情報記憶１１３」に記憶される。
図１９は、アンケート情報生成工程を示す概略フローチャートである。
以下、図１９のフローチャートに沿って説明する。
先ず、ＳＴ６１では、図１０の「アンケート情報生成処理部（プログラム）１５６」が動作し、会員（顧客）の店舗の退店後に、店舗番号と関連付けたアンケートを、同会員の「携帯電話」に送信する。
【０１１６】
次いで、ＳＴ６２へ進む。ＳＴ６２では、返信されたアンケート結果が、図６の「既登録顧客情報記憶部１１３」の「アンケート回答」に入力される。
【０１１７】
例えば、当該会員のＰ寿司店舗の退店の後に「アンケート（利用店舗（Ｐ寿司店舗）の店舗番号等の識別情報付き）」を、当該会員の「携帯電話５０」に送信する。
そして、当該会員の携帯電話５０からのアンケート結果は、図６の「既登録顧客情報記憶部１１３」の「アンケート回答」に記憶される。
【０１１８】
以上説明した本実施形態においては、装置として実現される場合を例に挙げて説明したが、本発明は、これに限定されず、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納され頒布されてもよい。
【０１１９】
また、記憶媒体は、プログラムを記憶でき、かつコンピュータが読み取り可能な記憶媒体であればよい。記憶媒体の記憶形式は、特には限定されない。
【０１２０】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０１２１】
さらに、本発明における記憶媒体は、コンピュータと独立した媒体には限定されず、ＬＡＮやインターネット等により伝送されたプログラムをダウンロードして記憶または一時記憶した記憶媒体も含まれる。
【０１２２】
また、本発明におけるコンピュータは、記憶媒体に記憶されたプログラムに基づいて本実施形態における各処理を実行すればよく、１つのパソコン等からなる装置であってもよいし、複数の装置がネットワーク接続されたシステム等であってもよい。
【０１２３】
また、本発明におけるコンピュータとは、パソコンには限定されず、情報処理機器に含まれる演算処理装置、マイコン等も含み、プログラムによって本発明の機能を実現することが可能な機器、装置を総称している。
【０１２４】
以上、本発明の実施形態について説明した。しかし、本発明は、上記実施形態に限定されず、特許請求の範囲を逸脱しない範囲で種々の変更を行うことができる。
【符号の説明】
【０１２５】
１・・・広告配信及びクーポン管理システム、２・・・インターネット網、３・・・基地局、１０・・・寿司店舗チェーン顧客情報管理サーバ、１１・・・顧客情報管理サーバ側制御部、１２・・・顧客情報管理サーバ側通信装置、１３・・・顧客情報管理サーバ側ディスプレイ、１４・・・顧客情報管理サーバ側各種入力装置、１５・・・寿司店舗チェーン顧客情報記憶部、２０・・・入口側クーポンチェック装置、２１・・・入口側制御部、２２・・・入口側コード読み取り装置、２３・・・入口側通信装置、２４・・・入口側計時装置、２５・・・入口側店舗情報記憶部、２６・・・入口側コード記憶部、２７・・・入口側コード読み取り時刻情報記憶部、２８・・・入口側クーポンコード特定処理部（プログラム）、２９・・・入口側クーポンコード記憶部、３０・・・出口側クーポンチェック装置、３１・・・入口側制御部、３２・・・出口側コード読み取り装置、３３・・・出口側通信装置、３４・・・出口側計時装置、３５・・・入口側店舗情報記憶部、３６・・・出口側コード記憶部、３７・・・出口側コード読み取り時刻情報記憶部、３８・・・入口側クーポンコード特定処理部（プログラム）、３９・・・入口側クーポンコード記憶部、４０・・・組人数及び支払金額等記憶部、５０・・・携帯電話、５１・・・タッチパネル、５２・・・情報入力用ボタン、６０・・・ＰＯＳ装置、１００・・・広告配信及びクーポン情報管理サーバ、１０１・・・広告配信及びクーポン情報管理サーバ側制御部、１０２・・・広告配信及びクーポン情報管理サーバ側通信装置、１０３・・・広告配信及びクーポン情報管理サーバ側ディスプレイ、１０４・・・広告配信及びクーポン情報管理サーバ側各種情報入力装置、１１０・・・広告配信及びクーポン情報管理サーバ側第１の各種情報管理部、１１１・・・クーポンサーバ側顧客情報記憶部、１１２・・・第１の顧客情報有効化処理部（プログラム）、１１３・・・既登録顧客情報記憶部、１１４・・・第２の顧客情報有効化処理部（プログラム）、１２０・・・広告配信及びクーポン情報管理サーバ側第２の各種情報管理部、１２１・・・第３の顧客情報有効化処理部（プログラム）、１２２・・・店舗嗜好性情報生成処理部（プログラム）、１２３・・・嗜好性基準情報記憶部、１２４・・・店舗嗜好性情報記憶部、１２５・・・嗜好性基準情報記憶部、１３０・・・広告配信及びクーポン情報管理サーバ側第３の各種情報管理部、１３１・・・業種利用頻度情報生成処理部（プログラム）、１３２・・・業態別利用頻度情報記憶部、１３３・・・生活サイクル情報生成処理部（プログラム）、１３４・・・生活サイクル基準情報記憶部、１３５・・・生活サイクル情報記憶部、１３６・・・広告配信条件記憶部、１４０・・・広告配信及びクーポン情報管理サーバ側第４の各種情報管理部、１４１・・・広告情報生成処理部（プログラム）、１４２・・・該当携帯電話番号記憶部、１４３・・・店舗単位回転率情報生成処理部（プログラム）、１４４・・・店舗単位回転率情報記憶部、１４５・・・混雑時間情報等生成処理部（プログラム）、１４６・・・混雑時間等記憶部、１５０・・・広告配信及びクーポン情報管理サーバ側第５の各種情報管理部、１５１・・・店舗単位会員来店情報生成処理部（プログラム）、１５２・・・店舗単位会員来店情報記憶部、１５３・・・店舗単位会員支払額情報等生成処理部（プログラム）、１５４・・・店舗単位会員支払額情報等記憶部、１５５・・・会員単位クーポン情報生成処理部（プログラム）、１５６・・・アンケート情報生成処理部（プログラム）
【図１】
2019121133.tif 000003
【図２】
2019121133.tif 000004
【図３】
2019121133.tif 000005
【図４】
2019121133.tif 000006
【図５】
2019121133.tif 000007
【図６】
2019121133.tif 000008
【図７】
2019121133.tif 000009
【図８】
2019121133.tif 000010
【図９】
2019121133.tif 000011
【図１０】
2019121133.tif 000012
【図１１】
2019121133.tif 000013
【図１２】
2019121133.tif 000014
【図１３】
2019121133.tif 000015
【図１４】
2019121133.tif 000016
【図１５】
2019121133.tif 000017
【図１６】
2019121133.tif 000018
【図１７】
2019121133.tif 000019
【図１８】
2019121133.tif 000020
【図１９】
2019121133.tif 000021
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
役務及び／又は商品の提供を行う提供場所を利用した顧客の利用情報を含む利用関連情報に基づいて、顧客の基本傾向情報を生成し、前記顧客の端末情報と関連付けて記憶し、
広告情報と、その広告の条件情報を記憶する広告配信条件記憶部を有し、
前記基本傾向情報と前記広告の条件情報から、配信対象の前記端末情報を選択し、選択された前記端末情報の端末に、前記広告情報を送信することを特徴とする有用情報提供装置。
【請求項２】
前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、
前記嗜好性情報、前記業態利用頻度情報及び前記生活サイクル情報を参照して、前記広告の条件情報に合致した前記端末情報を選択することを特徴とする請求項１に記載の有用情報提供装置。
【請求項３】
前記提供場所への前記顧客の前記端末の入所情報及び退所情報に基づいて、前記提供場所についての提供場所事情情報及び／又は、顧客についての顧客事情情報を生成し、前記提供場所事情情報及び／又は前記顧客事情情報に基づいて、顧客毎に異なる内容のクーポン内容情報を生成可能な構成となっていると共に、前記顧客毎に異なる内容のクーポン内容情報を、各顧客の前記端末に送信可能な構成となっていることを特徴とする請求項１又は請求項２に記載の有用情報提供装置。
【請求項４】
顧客の前記端末の前記入所情報及び前記退所情報は、前記提供場所に設置された入所情報検知装置及び退所情報検知装置と前記端末が前記クーポンに関する情報を送受信することで生成されることを特徴とする請求項３に記載の有用情報提供装置。
【請求項５】
前記入所情報及び前記退所情報は、時刻情報を含み、前記入所情報及び前記退所情報に基づいて、前記提供場所事情情報及び／又は前記顧客事情情報を生成すると共に、前記提供場所事情情報には、当該提供場所における顧客の滞在時間情報、顧客の回転率情報、当該提供場所の混雑時間情報又は当該提供場所の非混雑時間情報を含むことを特徴とする請求項３に記載の有用情報提供装置。
【請求項６】
役務及び／又は商品の提供を行う提供場所を利用した顧客の利用情報を含む利用関連情報に基づいて、顧客の基本傾向情報を生成し、前記顧客の端末情報と関連付けて記憶し、
広告配信条件記憶部に広告情報と、その広告の条件情報を記憶し、
前記基本傾向情報と前記広告の条件情報から、配信対象の前記端末情報を選択し、選択された前記端末情報の端末に、前記広告情報を送信することを特徴とする有用情報提供装置の制御方法。
【請求項７】
有用情報提供装置に、役務及び／又は商品の提供を行う提供場所を利用した顧客の利用情報を含む利用関連情報に基づいて、顧客の基本傾向情報を生成し、前記顧客の端末情報と関連付けて記憶する機能、
広告配信条件記憶部に広告情報と、その広告の条件情報を記憶する機能、
前記基本傾向情報と前記広告の条件情報から、配信対象の前記端末情報を選択し、選択された前記端末情報の端末に、前記広告情報を送信する機能を実行させる有用情報提供装置の制御プログラム。
【手続補正３】
【補正対象書類名】明細書
【補正対象項目名】０００５
【補正方法】変更
【補正の内容】
【０００５】
そこで、本発明は、携帯電話等の端末の所有者や所持者等の嗜好性や行動特性に合致した有用な情報を提供する有用情報提供装置、有用情報提供装置の制御方法及び有用情報提供プログラムを提供することを目的とする。
【手続補正４】
【補正対象書類名】明細書
【補正対象項目名】０００６
【補正方法】変更
【補正の内容】
【０００６】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶し、広告情報と、その広告の条件情報を記憶する広告配信条件記憶部を有し、前記基本傾向情報と前記広告の条件情報から、配信対象の前記端末情報を選択し、選択された前記端末情報の端末に、前記広告情報を送信することを特徴とする有用情報提供装置により達成される。
【手続補正５】
【補正対象書類名】明細書
【補正対象項目名】０００８
【補正方法】変更
【補正の内容】
【０００８】
好ましくは、前記有用情報提供装置は、前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、前記嗜好性情報、前記業態利用頻度情報及び前記生活サイクル情報を参照して、前記広告の条件情報に合致した前記端末情報を選択することを特徴とする。
【手続補正６】
【補正対象書類名】明細書
【補正対象項目名】００１６
【補正方法】変更
【補正の内容】
【００１６】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶し、広告配信条件記憶部に広告情報と、その広告の条件情報を記憶し、前記基本傾向情報と前記広告の条件情報から、配信対象の前記端末情報を選択し、選択された前記端末情報の端末に、前記広告情報を送信することを特徴とする有用情報提供装置の制御方法により達成される。
【手続補正７】
【補正対象書類名】明細書
【補正対象項目名】００１７
【補正方法】変更
【補正の内容】
【００１７】
前記目的は、本発明によれば、有用情報提供装置に、役務及び／又は商品の提供を行う提供場所を利用した顧客の利用情報を含む利用関連情報に基づいて、顧客の基本傾向情報を生成し、前記顧客の端末情報と関連付けて記憶する機能、広告配信条件記憶部に広告情報と、その広告の条件情報を記憶する機能、前記基本傾向情報と前記広告の条件情報から、配信対象の前記端末情報を選択し、選択された前記端末情報の端末に、前記広告情報を送信する機能を実行させる有用情報提供装置の制御プログラムにより達成される。
【手続補正８】
【補正対象書類名】明細書
【補正対象項目名】００１８
【補正方法】変更
【補正の内容】
【００１８】
そこで、本発明は、携帯電話等の端末の所有者や所持者等の嗜好性や行動特性に合致した有用な情報を提供する有用情報提供装置、有用情報提供装置の制御方法及び有用情報提供プログラムを提供できるという利点がある。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
役務及び／又は商品の提供を行う提供場所を利用した顧客の利用情報を含む利用関連情報に基づいて、顧客の基本傾向情報を生成し、前記顧客の端末情報と関連付けて記憶し、
広告情報と、その広告の条件情報を記憶する広告配信条件記憶部を有し、
前記基本傾向情報と前記広告の条件情報から、配信対象の前記端末情報を選択し、選択された前記端末情報の端末に、前記広告情報を送信する構成であって、
前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、
前記嗜好性情報、前記業態利用頻度情報及び前記生活サイクル情報を参照して、前記広告の条件情報に合致した前記端末情報を選択することを特徴とする有用情報提供装置。
【請求項２】
前記提供場所への前記顧客の前記端末の入所情報及び退所情報に基づいて、前記提供場所についての提供場所事情情報及び／又は、顧客についての顧客事情情報を生成し、前記提供場所事情情報及び／又は前記顧客事情情報に基づいて、顧客毎に異なる内容のクーポン内容情報を生成可能な構成となっていると共に、前記顧客毎に異なる内容のクーポン内容情報を、各顧客の前記端末に送信可能な構成となっていることを特徴とする請求項１に記載の有用情報提供装置。
【請求項３】
顧客の前記端末の前記入所情報及び前記退所情報は、前記提供場所に設置された入所情報検知装置及び退所情報検知装置と前記端末が前記クーポンに関する情報を送受信することで生成されることを特徴とする請求項２に記載の有用情報提供装置。
【請求項４】
前記入所情報及び前記退所情報は、時刻情報を含み、前記入所情報及び前記退所情報に基づいて、前記提供場所事情情報及び／又は前記顧客事情情報を生成すると共に、前記提供場所事情情報には、当該提供場所における顧客の滞在時間情報、顧客の回転率情報、当該提供場所の混雑時間情報又は当該提供場所の非混雑時間情報を含むことを特徴とする請求項２に記載の有用情報提供装置。
【請求項５】
役務及び／又は商品の提供を行う提供場所を利用した顧客の利用情報を含む利用関連情報に基づいて、顧客の基本傾向情報を生成し、前記顧客の端末情報と関連付けて記憶し、
広告配信条件記憶部に広告情報と、その広告の条件情報を記憶し、
前記基本傾向情報と前記広告の条件情報から、配信対象の前記端末情報を選択し、選択された前記端末情報の端末に、前記広告情報を送信し、
前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、前記嗜好性情報、前記業態利用頻度情報及び前記生活サイクル情報を参照して、前記広告の条件情報に合致した前記端末情報を選択することを特徴とする有用情報提供装置の制御方法。
【請求項６】
有用情報提供装置に、役務及び／又は商品の提供を行う提供場所を利用した顧客の利用情報を含む利用関連情報に基づいて、顧客の基本傾向情報を生成し、前記顧客の端末情報と関連付けて記憶する機能、広告配信条件記憶部に広告情報と、その広告の条件情報を記憶する機能、
前記基本傾向情報と前記広告の条件情報から、配信対象の前記端末情報を選択し、選択された前記端末情報の端末に、前記広告情報を送信する機能、
前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、前記嗜好性情報、前記業態利用頻度情報及び前記生活サイクル情報を参照して、前記広告の条件情報に合致した前記端末情報を選択する機能を実行させる有用情報提供装置の制御プログラム。
【手続補正２】
【補正対象書類名】明細書
【補正対象項目名】０００６
【補正方法】変更
【補正の内容】
【０００６】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶し、広告情報と、その広告の条件情報を記憶する広告配信条件記憶部を有し、前記基本傾向情報と前記広告の条件情報から、配信対象の前記端末情報を選択し、選択された前記端末情報の端末に、前記広告情報を送信する構成であって、前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、前記嗜好性情報、前記業態利用頻度情報及び前記生活サイクル情報を参照して、前記広告の条件情報に合致した前記端末情報を選択することを特徴とする有用情報提供装置により達成される。
【手続補正３】
【補正対象書類名】明細書
【補正対象項目名】０００８
【補正方法】削除
【補正の内容】
【手続補正４】
【補正対象書類名】明細書
【補正対象項目名】００１６
【補正方法】変更
【補正の内容】
【００１６】
前記目的は、本発明によれば、役務及び／又は商品の提供を行う提供場所を利用した顧客の利用情報を含む利用関連情報に基づいて、顧客の基本傾向情報を生成し、前記顧客の端末情報と関連付けて記憶し、広告配信条件記憶部に広告情報と、その広告の条件情報を記憶し、前記基本傾向情報と前記広告の条件情報から、配信対象の前記端末情報を選択し、選択された前記端末情報の端末に、前記広告情報を送信し、前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、前記嗜好性情報、前記業態利用頻度情報及び前記生活サイクル情報を参照して、前記広告の条件情報に合致した前記端末情報を選択することを特徴とする有用情報提供装置の制御方法により達成される。
【手続補正５】
【補正対象書類名】明細書
【補正対象項目名】００１７
【補正方法】変更
【補正の内容】
【００１７】
前記目的は、本発明によれば、有用情報提供装置に、役務及び／又は商品の提供を行う提供場所を利用した顧客の利用情報を含む利用関連情報に基づいて、顧客の基本傾向情報を生成し、前記顧客の端末情報と関連付けて記憶する機能、広告配信条件記憶部に広告情報と、その広告の条件情報を記憶する機能、前記基本傾向情報と前記広告の条件情報から、配信対象の前記端末情報を選択し、選択された前記端末情報の端末に、前記広告情報を送信する機能、前記基本傾向情報が、前記顧客の前記提供場所の種類情報を含む情報に基づいて生成される嗜好性情報、前記顧客が利用する前記提供場所の業態種類情報を含む情報に基づいて生成される業態利用頻度情報及び前記顧客の前記提供場所への利用サイクル情報を含む情報に基づいて生成される生活サイクル情報を含み、前記嗜好性情報、前記業態利用頻度情報及び前記生活サイクル情報を参照して、前記広告の条件情報に合致した前記端末情報を選択する機能を実行させる有用情報提供装置の制御プログラムにより達成される。